(57)【要約】      （修正有）【課題】低減されたスペース要件ならびに良好なクロストークおよびＥＭＣ特性を有する、少なくとも１Ｇｂｉｔ／ｓのデータレートで信号を伝送するのに適しているネットワークコネクタを提供する。【解決手段】車両のためのネットワークコネクタアセンブリに関しネットワークは好ましくは１００Ｍｂｉｔ／ｓおよび／または１Ｇｂｉｔ／ｓのデータレートで通信し、コネクタアセンブリは、ピン対を形成する少なくとも２つのピン３３２を備えるヘッダであって、ピン３３２は、嵌合方向に延在するヘッダと、ピン対を少なくとも２つの側においてシールドする導電性シールド部材３２０は、嵌合方向に対して実質的に垂直に向けられる前面を有しており、ヘッダシュラウド３１０には、シールド部材３２０を受け入れるためのシールド空洞が設けられ、シールド部材３２０の前面はヘッダシュラウド３１０によって少なくとも部分的に覆われる。【選択図】図７Ｂ
2017084785.tif 000002
【特許請求の範囲】
【請求項１】
ネットワークコネクタアセンブリ（２００、３００）、特に車両のためのネットワークコネクタアセンブリ（２００、３００）であって、ネットワークは、好ましくは、少なくとも１００Ｍｂｉｔ／ｓおよび／または少なくとも１Ｇｂｉｔ／ｓのデータレートで通信し、前記ネットワークコネクタアセンブリ（２００、３００）は、
ピン対（２３０、３３０）を形成する少なくとも２つのピン（２３２、３３２）を備えるヘッダ（２４０、３４０）であって、前記ピン（２３２、３３２）は嵌合方向（２３６、３３６）に延在する、ヘッダ（２４０、３４０）と、
前記ピン対（２３０、３３０）を少なくとも２つの側においてシールドする導電性シールド部材（２２０、３２０）であって、前記導電性シールド部材（２２０、３２０）は、前記嵌合方向（２３６、３３６）に対して実質的に垂直に向けられる前面（２２６、３２６）を有する、導電性シールド部材（２２０、３２０）と、
ヘッダシュラウド（２１０、３１０）であって、前記ヘッダシュラウド（２１０、３１０）には、前記導電性シールド部材（２２０、３２０）を受け入れるためのシールド空洞（３１４）が設けられ、前記導電性シールド部材（２２０、３２０）の前記前面（２２６、３２６）は、前記ヘッダシュラウド（２１０、３１０）によって少なくとも部分的に覆われている、ヘッダシュラウド（２１０、３１０）と
を備える、ネットワークコネクタアセンブリ（２００、３００）。
【請求項２】
前記導電性シールド部材（２２０、３２０）は、少なくとも２つの第１のシールド板（２２２、３２２）を備え、
前記少なくとも１つのピン対（２３０、３３０）は、前記導電性シールド部材（２２０、３２０）が前記ピン対（２３０、３３０）を少なくとも２つの側においてシールドするように、前記２つの第１のシールド板（２２２、３２２）間に設けられ、前記２つの第１のシールド板（２２２、３２２）の各々は、等距離（ｘｓ）だけ前記ピン対（２３０、３３０）の対応するピン（２３２、３３２）から間隔を空けられ、前記距離（ｘｓ）は、好ましくは最大で３．５ｍｍ、より好ましくは最大で３ｍｍ、最も好ましくは最大で２．５ｍｍである、
請求項１に記載のネットワークコネクタアセンブリ（２００、３００）。
【請求項３】
前記導電性シールド部材（２２０、３２０）は、少なくとも１つの第２のシールド板（２２４、３２４）をさらに備え、前記少なくとも１つの第２のシールド板（２２４、３２４）は、前記少なくとも１つのピン対を第３の側および／または第４の側においてシールドする、請求項１または２に記載のネットワークコネクタアセンブリ（２００、３００）。
【請求項４】
前記ネットワークコネクタアセンブリ（２００、３００）は、少なくとも２つのピン対（２３０、３３０）、好ましくは少なくとも６つのピン対（２３０、３３０）、最も好ましくは少なくとも８つのピン対（２３０、３３０）を備え、前記ピン対（２３０、３３０）は、少なくとも１つの行に配置され、少なくとも１つの第１のシールド板（２２２、３２２）は、各第１のシールド板（２２２、３２２）が、等距離（ｘｓ）だけピン対（２３０、３３０）の対応するピン（２３２、３３２）から間隔を空けられるように、２つの隣接ピン対（２３０、３３０）間に配置されている、請求項１から３のいずれか一項に記載のネットワークコネクタアセンブリ（２００、３００）。
【請求項５】
前記ネットワークコネクタアセンブリ（２００、３００）は、複数のピン対（２３０、３３０）を備え、前記ピン対（２３０、３３０）は、行および列に配置され、前記導電性シールド部材（２２０、３２０）は、２つの隣接行間において、好ましくは中心に設けられる少なくとも１つの第２のシールド板（２２４、３２４）をさらに備える、請求項１から４のいずれか一項に記載のネットワークコネクタアセンブリ（２００、３００）。
【請求項６】
ピン対（２３０、３３０）の２つのピン（２３２、３３２）間の距離（ｘｐ）は、１．４ｍｍから２．１ｍｍの範囲内、好ましくは１．８ｍｍであり、
好ましくは、行内での異なるピン対（２３０、３３０）の２つの隣接ピン（２３２、３３２）間の距離（ｘｃ）は、５．０ｍｍから６．５ｍｍの範囲内、好ましくは５．４ｍｍであり、
好ましくは、列内での異なるピン対（２３０、３３０）の２つの隣接ピン（２３２、３３２）間の距離（ｈｒ）は、３．３ｍｍから５．０ｍｍの範囲内、好ましくは３．６ｍｍである、
請求項１から５のいずれか一項に記載のネットワークコネクタアセンブリ（２００、３００）。
【請求項７】
前記第１のシールド板（２２２、３２２）は、前記第２のシールド板（２２４、３２４）を越えて前記嵌合方向（２３６、３３６）に、および／または、好ましくは前記嵌合方向（２３６、３３６）と反対の方向に延在する、請求項１から６のいずれか一項に記載のネットワークコネクタアセンブリ（２００、３００）。
【請求項８】
前記導電性シールド部材（２２０、３２０）は、一体的に形成されている、請求項１から７のいずれか一項に記載のネットワークコネクタアセンブリ（２００、３００）。
【請求項９】
前記導電性シールド部材（２２０、３２０）は、金属シートおよび／または導電性ポリマーを含む、請求項１から８のいずれか一項に記載のネットワークコネクタアセンブリ（２００、３００）。
【請求項１０】
前記ヘッダ（２４０、３４０）は、前記導電性シールド部材（２２０、３２０）上に成形され、前記ヘッダ（２４０、３４０）は、好ましくは前記ヘッダシュラウド（２１０、３１０）と一体的に形成されている、請求項１から９のいずれか一項に記載のネットワークコネクタアセンブリ（２００、３００）。
【請求項１１】
前記シールド空洞（３１４）には、前記ネットワークコネクタアセンブリ（２００、３００）を対応する相手方コネクタアセンブリ（４００）と嵌合させる際に、前記ネットワークコネクタアセンブリ（２００、３００）の前記導電性シールド部材（２２０、３２０）を前記対応する相手方コネクタアセンブリ（４００）の相手方シールド部材（４２０）と電気的に接続させるために、少なくとも１つの貫通孔（３１８）が設けられている、請求項１から１０のいずれか一項に記載のネットワークコネクタアセンブリ（２００、３００）。
【請求項１２】
前記ネットワークコネクタアセンブリ（２００、３００）は、印刷回路基板（ＰＣＢ）（２５０、３５０）上に取り付けられ、前記導電性シールド部材（２２０、３２０）は、前記導電性シールド部材（２２０、３２０）を前記印刷回路基板（２５０、３５０）と導電的に接触させるための接触部材（３２８）を備える、請求項１から１１のいずれか一項に記載のネットワークコネクタアセンブリ（２００、３００）。
【請求項１３】
請求項１から１２のいずれか一項に記載のネットワークコネクタアセンブリ（２００、３００）と嵌合させられるように適合された相手方コネクタアセンブリ（４００）であって、
少なくとも２つの接触端子（４３２）を有する少なくとも１つの相手方コネクタ（４３０）と、
少なくとも１つの相手方コネクタ（４３０）を受け入れるように適合されたコレクタ筐体（４１０）と、
導電性相手方シールド部材（４２０）であって、前記導電性相手方シールド部材（４２０）は、相手方コネクタ（４３０）が前記導電性相手方シールド部材（４２０）によって少なくとも２つの側においてシールドされるように、前記コレクタ筐体（４１０）内に配置されている、導電性相手方シールド部材（４２０）と
を備える、相手方コネクタアセンブリ（４００）。
【請求項１４】
前記導電性相手方シールド部材（４２０）は、少なくとも１つのシールド要素（４２６）を備え、前記シールド要素（４２６）は、少なくとも２つの第１の相手方シールド板（４２２）を備え、前記相手方コネクタ（４３０）は、前記シールド要素（４２６）が前記相手方コネクタ（４３０）を少なくとも２つの側においてシールドするように、前記２つの第１の相手方シールド板（４２２）間に位置決めされ、前記シールド要素（４２６）は、少なくとも１つの第２の相手方シールド板（４２４）をさらに備え、前記少なくとも１つの第２の相手方シールド板（４２４）は、前記少なくとも１つの相手方コネクタ（４３０）を第３の側および／または第４の側においてシールドする、請求項１３に記載の相手方コネクタアセンブリ（４００）。
【請求項１５】
前記導電性相手方シールド部材（４２０）は、金属シートおよび／または導電性ポリマーを含み、前記シールド要素（４２６）および／または前記導電性相手方シールド部材（４２０）は、一体的に形成されている、請求項１３または１４に記載の相手方コネクタアセンブリ（４００）。
【請求項１６】
請求項１から１２のいずれか一項に記載のネットワークコネクタアセンブリ（２００、３００）と、
請求項１３から１５のいずれか一項に記載の相手方コネクタアセンブリ（４００）と
を備えるネットワークコネクタシステム（５００）であって、
前記ネットワークコネクタシステム（５００）は、少なくとも１００Ｍｂｉｔ／ｓ、好ましくは少なくとも１Ｇｂｉｔ／ｓのデータレートでデータを送信するように構成されたイーサネット（登録商標）−ネットワークコネクタシステムである、
ネットワークコネクタシステム（５００）。
【請求項１７】
前記導電性シールド部材（２２０、３２０）および前記導電性相手方シールド部材（４２０）は、前記ネットワークコネクタシステムが嵌合させられるとき、重なり合わない、請求項１６に記載のネットワークコネクタシステム（５００）。
【発明の詳細な説明】
【技術分野】
【０００１】
本発明は、特に車両のためのネットワークコネクタアセンブリ、対応する相手方コネクタアセンブリおよびネットワークコネクタシステムに関し、ネットワークコネクタアセンブリは、１００Ｍｂｉｔ／ｓおよび／または１Ｇｂｉｔ／ｓのデータレートで通信するネットワークに適している。
【背景技術】
【０００２】
近年、車両には、多数の車載電子機器が備えられてきた。これらの車載電子機器は、センサ、制御機能および同様のものなどの、広範囲の機能性を提供する。単一の車載電子部品間のデータ通信のために、データネットワークが、車両内に確立されてきた。これらのデータネットワークは、例えば、最大で１００Ｍｂｉｔ／ｓおよび／または１Ｇｂｉｔ／ｓまでのデータレートで動作するイーサネット（登録商標）に基づいている。
【０００３】
新しい車載電子機器の提供に伴い、より高いデータレートの必要性が増している。しかしながら、特に、単一データ信号径路のコネクタおよび／またはケーブルが、互いに隣接して配置される場合、データレートが高くなるほど、クロストークレベルは高くなる。さらに、データレートの増加に伴い、使用されるコネクタのＥＭＣ特性（電磁両立性）が、低下する。それ故に、異なるコネクタが、１００Ｍｂｉｔ／ｓネットワークおよび１Ｇｂｉｔ／ｓネットワークのために提供される。最大で１Ｇｂｉｔ／ｓまでのデータレートでのクロストークの増加およびＥＭＣ特性の低下を克服するために、単一コネクタ間の距離が、増やされている。それ故に、これらのコネクタは、集められるときには、より多くのスペースを必要とし、または互いに遠く離れて設置されなければならない。より小さい１００Ｍｂｉｔ／ｓコネクタが、（例えば、スペース要件のために）なお使用されているので、２つの異なるコネクタの型が、確立されている。しかしながら、異なるコネクタの型は、パーツ数の増加ならびに製造コストおよび保管コストの増加につながる。
【発明の概要】
【発明が解決しようとする課題】
【０００４】
それ故に、低減されたスペース要件ならびに良好なクロストークおよびＥＭＣ特性を有する、少なくとも１Ｇｂｉｔ／ｓのデータレートで信号を伝送するのに適しているネットワークコネクタを提供する必要が当技術分野にある。
【課題を解決するための手段】
【０００５】
上述の欠点は、請求項１によるネットワークコネクタアセンブリ、請求項１３による相手方コネクタおよび請求項１６によるネットワークコネクタシステムによって、少なくとも部分的に克服することができる。
【０００６】
特に、欠点は、車両のためのネットワークコネクタアセンブリであって、ネットワークは、好ましくは、１００Ｍｂｉｔ／ｓおよび／または１Ｇｂｉｔ／ｓのデータレートで通信し、コネクタアセンブリは、ピン対を形成する少なくとも２つのピンを備えるヘッダであって、ピンは嵌合方向に延在する、ヘッダと、ピン対を少なくとも２つの側においてシールドする導電性シールド部材であって、シールド部材は、嵌合方向に対して実質的に垂直に向けられる前面を有する、導電性シールド部材と、ヘッダシュラウドであって、ヘッダシュラウドには、シールド部材を受け入れるためのシールド空洞が設けられ、シールド部材の前面は、ヘッダシュラウドによって少なくとも部分的に覆われる、ヘッダシュラウドとを備える、ネットワークコネクタアセンブリによって、少なくとも部分的に克服される。
【０００７】
それらのネットワークコネクタアセンブリは、クロストークの低減した１つの型のコネクタを使用しながら、１００Ｍｂｉｔ／ｓおよび／または１Ｇｂｉｔ／ｓのデータレートでのデータ送信を可能にする。好ましくは、イーサネット（登録商標）が使用される。ヘッダは、好ましくは、プラスチックなどの絶縁材料で形成され、少なくとも２つのピンは、金属などの導電性材料から形成される。
【０００８】
ヘッダは、ピンを機械的に支持し、ピン間に規定の距離を提供する。２つの隣接ピンによって形成されるピン対は、データ送信のために使用される。それによって、ピンは、相手方コネクタの対応する端子と嵌合するように適合された１つの嵌合部分を有する。ピンの反対側は、印刷回路基板（ＰＣＢ）または電線などの、別の導電性部材にピンを接触させるために使用される接触部分である。ピンの嵌合部分および接触部分は、ピンが実質的に直線状である、すなわちピンが角度をつけられないように、一直線に設けられてもよい。好ましくは、ピンは、曲げ角度を提供され、曲げ角度は、３０°〜１２０°の範囲内、より好ましくは５０°〜１１０°の範囲内、最も好ましくは８５°〜９５°の範囲内である。それ故に、車両内のスペース要件に調整できる、角度のついたネットワークコネクタアセンブリが提供されてもよい。２つの隣接ピン対間および／またはピン対の環境にある他のデータ通信部材間のクロストークを低減するために、ピン対を少なくとも２つの側においてシールドするシールド部材が設けられる。
【０００９】
それは、ネットワークコネクタアセンブリが、少なくとも１Ｇｂｉｔ／ｓのデータレートに至るまで使用できるように、２側（ｔｗｏ−ｓｉｄｅｄ）シールド部材が、良好なクロストーク特性を提供することを示している。それによって、シールド部材の前面は、シールド部材が、ピン対のピンに少なくとも部分的に平行であるように、嵌合方向に対して実質的に垂直に向けられる。
【００１０】
なおさらに、ヘッダシュラウドが提供される。ヘッダシュラウドは、典型的にはプラスチックなどの電気絶縁体で形成され、ピンおよび／またはシールド部材を損傷から保護するために提供される。さらに、ヘッダシュラウドは、ネットワークコネクタアセンブリが、損傷を受けることなく対応する相手方コネクタアセンブリと嵌合させることができるように、高い機械的安定性を提供する。それ故に、ヘッダシュラウドには典型的には、ピン対を受け入れる少なくとも１つの開口が設けられる。さらに、ヘッダシュラウドには、ピン対を受け入れる開口とは異なるシールド空洞が設けられる。シールド空洞は、好ましくは、貫通孔ではなく、その結果シールド部材は、その前面においてヘッダシュラウドによって少なくとも部分的に覆われる。これは、機械的安定性の改善につながることになり、その結果シールド部材およびピンは、ヘッダシュラウドによって保護される。従って、車両内での輸送、嵌合および据え付けの間にネットワークコネクタアセンブリに損傷を与えるリスクが、大幅に低減される。
【００１１】
好ましくは、シールド部材は、少なくとも２つの第１のシールド板を備え、少なくとも１つのピン対は、シールド部材がピン対を少なくとも２つの側においてシールドするように、２つの第１のシールド板間に設けられ、２つの第１のシールド板の各々は、等距離ｘｓだけピン対の対応するピンから間隔を空けられ、その距離は、好ましくは最大で３．５ｍｍ、より好ましくは最大で３ｍｍ、最も好ましくは最大で２．５ｍｍである。
【００１２】
ピン対の特定のピンに割り当てられ、ピン対から距離ｘｓに位置決めされるシールド板を提供することは、効率的なクロストーク低減を提供することを示している。ピン対の割り当てられたピンから等距離に各シールド板を提供することによって、少なくとも１Ｇｂｉｔ／ｓの高データレート下でさえ、クロストークの大幅な低減につながる対称的なシールド配置が、達成される。
【００１３】
好ましくは、シールド部材は、少なくとも１つの第２のシールド板をさらに備え、少なくとも１つの第２のシールド板は、少なくとも１つのピン対を第３の側および／または第４の側においてシールドする。それ故に、ピン対を部分的に取り囲む、シールド部材またはシールド部材の少なくとも一部分は、前面から見たときにＵ字形であるまたは、２つの第２のシールド板が使用される場合、ピン対を完全に取り巻く。追加の第２のシールド板を提供することはさらに、シールド特性を向上させ、クロストークを低減する。なおさらに、第２のシールド板を提供することによって、シールド部材の機械的安定性が高められてもよく、損傷が防止されてもよい。第２のシールド板を提供することに伴い、嵌合方向でのシールド部材の全長が、低減されてもよい。
【００１４】
好ましくは、ネットワークコネクタアセンブリは、少なくとも２つのピン対、好ましくは少なくとも６つのピン対、最も好ましくは少なくとも８つのピン対を備え、ピン対は、少なくとも１つの行に配置され、少なくとも１つの第１のシールド板は、各第１のシールド板が等距離ｘｓだけピン対の対応するピンから間隔を空けられるように、２つの隣接するピン対の間に配置される。
【００１５】
距離ｘｓのための値は、好ましくは上で述べられたのと同じである。複数のピン対を提供することによって、複数のデータ送信経路が、ネットワークコネクタアセンブリを使用することによって同時に接続されてもよいので、車両内の車載電子部品の数は、容易に増加させることができる。
【００１６】
２つの隣接ピン間に配置される第１のシールド板を等距離ｘｓに提供することによって、各ピンは、同じシールド環境を有し、従って、クロストークは、大幅に低減することができる。行内に配置される２つの隣接ピン対間には、少なくとも１つの第１のシールド板が、配置される。それは、１つのシールド板が、異なるピン対の２つのピンに割り当てられ、２つの隣接ピン対間に配置されてもよいことを意味する。
【００１７】
好ましくは、ネットワークコネクタアセンブリは、複数のピン対を備え、ピン対は、行および列に配置され、シールド部材は、２つの隣接行間において、好ましくは中心に設けられる少なくとも１つの第２のシールド板をさらに備える。２つの隣接行間に第２のシールド板を提供することに伴い、異なる行の２つの隣接ピン対間のクロストークは、低減することができる。さらに、第２のシールド板を２つの隣接行間の中心に置くことによって、ピン対のすべてのピンは、同様のシールド特性を提供されてもよく、その結果クロストーク低減は、異なる行のすべてのピン対について同様に達成されてもよい。
【００１８】
好ましくは、ピン対の２つのピン間の距離ｘｐは、１．４ｍｍから２．１ｍｍの範囲内、好ましくは１．８ｍｍであり、好ましくは、行内の異なるピン対の２つの隣接ピン間の距離ｘｃは、５．０ｍｍから６．５ｍｍの範囲内、好ましくは５．４ｍｍであり、好ましくは、列内の異なるピン対の２つの隣接ピン間の距離ｈｒは、３．３ｍｍから５．３ｍｍの範囲内、好ましくは３．６ｍｍである。これらの寸法は、小さいスペース要件を有し、クロストークの低減した少なくとも１Ｇｂｉｔ／ｓのデータレートでのデータ送信に適しているネットワークコネクタアセンブリを提供することを示している。
【００１９】
好ましくは、第１のシールド板は、第２のシールド板を越えて嵌合方向に、および／または、好ましくは嵌合方向と反対の方向に延在する。それは意外にも、第２のシールド板を越えて延在する第１のシールド板が、クロストークの大幅な低減につながることを示している。角度のついたピンが設けられる場合、第２のシールド板は、ピンと同様に角度をつけられてもよく、その結果ピン対は、ピンの全長に沿って第３および／または第４の側においてシールドされる。さらに、第２のシールド板を越えて嵌合方向と反対の方向に延在する第１のシールド板を提供することは、クロストークをさらに低減することになる。
【００２０】
好ましくは、シールド部材は、一体的に形成される。それ故に、シールド部材は、それに応じて曲げられる単一金属シートから製造されてもよい。あるいは、シールド部材の第１および第２の板は、シールド部材を形成するようにアセンブルされる別個のパーツとすることができる。なおさらに、シールド部材は、導電性プラスチック材料から形成されてもよく、一体的に形成されるシールド部材として成形されまたは押し出されてもよい。それ故に、シールド部材は、好ましくは、金属シートおよび／または導電性ポリマーを含む。
【００２１】
適切な金属または合金は、アルミニウム、銅、亜鉛および同様のもののいずれかを含むことができる。導電性ポリマーは、有機ポリマーまたは好ましくは金属粒子などの導電性フィラーで満たされるポリマーマトリクスを有する任意の他のポリマーとすることができる。これらの導電性ポリマーは、射出成形、押し出しおよび／または同様のものなどの、既知のポリマー処理技法を用いて容易に形成されてもよく、非常に複雑なシールド部材に形成されてもよい。好ましくは、ヘッダシュラウドは、シールド部材と一体的に形成される。それ故に、ネットワークコネクタアセンブリの製造は、簡略化される。
【００２２】
好ましくは、ヘッダは、シールド部材上に成形され、ヘッダは、好ましくは、ヘッダシュラウドと一体的に形成される。ヘッダを用いてシールド部材を少なくとも部分的にオーバーモールドすること（ｏｖｅｒ  ｍｏｌｄｉｎｇ）は、機械的安定性の向上およびヘッダとシールド部材との間の強い接続につながる。さらに、ヘッダは、シールド部材が、ヘッダによって環境の影響から保護されるように、シールド部材を少なくとも部分的に取り囲む。さらに、ヘッダは、パーツ数が低減され、製造コストが低減されてもよいように、ヘッダシュラウドと一体的に形成されてもよい。
【００２３】
好ましくは、ヘッダシュラウドのシールド空洞には、ネットワークコネクタアセンブリを対応する相手方コネクタアセンブリと嵌合する際に、シール部材を対応する相手方コネクタアセンブリの相手方シールド部材と電気的に接触させるために、少なくとも１つの貫通孔が設けられる。それ故に、連続的なシールドが、嵌合させられたコネクタを覆って設けられてもよい。これは、クロストークの大幅な低減につながることになり、さらにコネクタアセンブリのＥＭＣ特性を向上させることになる。
【００２４】
好ましくは、ネットワークコネクタアセンブリは、印刷回路基板上に取り付けられ、シールド部材は、シールド部材を印刷回路基板と導電的に接触させるための接触部材を備える。例えば印刷回路基板の接地面と接触させることができる接触部材を提供することは、さらにクロストークを低減し、ＥＭＣ特性を向上させることになる。接触部材は、例えばはんだピン、ボンディング面として形成されてもよくまたはＰＣＢに導電的に接着されてもよい。
【００２５】
上記で論じられた欠点は、相手方コネクタアセンブリであって、相手方コネクタアセンブリは、上で述べられたようにネットワークコネクタアセンブリと嵌合させられるように適合され、相手方コネクタアセンブリは、少なくとも２つの接触端子を有する少なくとも１つの相手方コネクタと、少なくとも１つの相手方コネクタを受け入れるように適合されたコレクタ筐体と、導電性相手方シールド部材であって、相手方シールド部材は、相手方コネクタが相手方シールド部材によって少なくとも２つの側においてシールドされるように、コレクタ筐体内に配置される、導電性相手方シールド部材とを備える、相手方コネクタアセンブリによって、少なくとも部分的に克服される。
【００２６】
相手方コネクタは、少なくとも２つの接触端子を有し、コネクタアセンブリのピン対と接続されるように適合される。それ故に、複数のピン対が設けられる場合、相手方コネクタアセンブリにもまた、複数の相手方コネクタが設けられる。コレクタ筐体はそれによって、ピン対の配置に従って複数の相手方コネクタを配置するのに役立つ。それ故に、コレクタ筐体は、ネットワークコネクタアセンブリのように、相手方コネクタの行間および列間の対応する距離を提供する。さらに、相手方コネクタの端子は、ピン対のピンと同じ距離を有する。コレクタ筐体を提供することによって、複数の相手方コネクタは、ネットワークコネクタアセンブリに同時に接続されてもよい。好ましくは、単一相手方コネクタは、相手方コネクタアセンブリが、ネットワークコネクタアセンブリに嵌合させられた後、嵌合を外されまたは取り換えられてもよい。導電性相手方シールド部材は、少なくとも１Ｇｂｉｔ／ｓの高データレート下でさえクロストークを低減する。
【００２７】
好ましくは、相手方シールド部材は、少なくとも１つのシールド要素を備え、シールド要素は、少なくとも２つの第１の相手方シールド板を備え、相手方コネクタは、シールド要素が相手方コネクタを少なくとも２つの側においてシールドするように、２つの第１の相手方シールド板間に位置決めされ、シールド要素は、少なくとも１つの第２の相手方シールド板をさらに備え、少なくとも１つの第２の相手方シールド板は、少なくとも１つの相手方コネクタを第３の側および／または第４の側においてシールドする。
【００２８】
それ故に、各相手方コネクタは、同様のシールド条件を提供され、その結果クロストークは、大幅に低減することができる。さらに、相手方シールド部材は、金属シートおよび／または導電性ポリマーを含み、シールド要素および／または相手方シールド部材は、好ましくは、一体的に形成される。
【００２９】
金属シートが、相手方シールド部材を形成するために設けられる場合、従来の曲げ技法が、使用されてもよい。上で述べられたように、導電性ポリマーの使用は、一体的に形成されるシールド部材または複雑な形を有することもあるシールド要素を提供することを可能にする。なおさらに、単一相手方コネクタにまたは規定数の相手方コネクタに割り当てられる単一シールド要素が設けられてもよい。好ましくは、単一シールド要素は、少なくとも１つの相手方コネクタ、少なくとも２つの相手方コネクタおよび／または少なくとも４つの相手方コネクタに割り当てられる。
【００３０】
さらに、これらのシールド要素は、相手方シールド部材として一体的に形成されてもよい。相手方シールド要素を提供することは、異なる相手方コネクタアセンブリ構成のために同じ要素を使用することを可能にする。例えば、相手方コネクタアセンブリが偶数の相手方コネクタを備える場合、対応する数のシールド要素が、相手方コネクタアセンブリの異なる構成のために設けられてもよいので、２つの相手方コネクタに割り当てられるシールド要素が、有利である。
【００３１】
欠点はさらに、ネットワークコネクタシステムであって、ネットワークコネクタシステムは、上で述べられたようなネットワークコネクタアセンブリおよび相手方コネクタアセンブリを備え、ネットワークコネクタシステムは、少なくとも１００Ｍｂｉｔ／ｓ、好ましくは少なくとも１Ｇｂｉｔ／ｓのデータレートでデータを送信するように構成されるイーサネット（登録商標）ネットワークコネクタシステムである、ネットワークコネクタシステムによって、少なくとも部分的に克服される。それ故に、ネットワークコネクタアセンブリおよび相手方コネクタアセンブリは、車両製造における異なるパーツの数が、低減されてもよいように、１００Ｍｂｉｔ／ｓネットワークおよび１Ｇｂｉｔ／ｓネットワークのために使用されてもよい。
【００３２】
好ましくは、ネットワークコネクタシステムのシールド部材および相手方シールド部材は、ネットワークコネクタシステムが嵌合させられるとき、重なり合わない。これは、機械的安定性の向上を提供するために、シールド部材を完全にヘッダシュラウドおよび／またはコレクタ筐体内に提供することを可能にする。さらに、シールド部材は、環境の影響から保護され、その結果ネットワークコネクタシステムの全体の寿命は、増加させることができる。
【００３３】
下記において、本発明は、保護の範囲を限定することなく、添付の図に関して述べられる。
【図面の簡単な説明】
【００３４】
【図１Ａ】従来の１００Ｍｂｉｔ／ｓネットワークコネクタアセンブリの概略正面図である。
【図１Ｂ】従来の１Ｇｂｉｔ／ｓネットワークコネクタアセンブリの概略正面図である。
【図２Ａ】直線状ネットワークコネクタアセンブリの分解図である。
【図２Ｂ】角度のついたネットワークコネクタアセンブリの分解図である。
【図３Ａ】ピン対をシールドするシールド部材の概略図である。
【図３Ｂ】図３Ａのシールド部材の概略上面図である。
【図３Ｃ】ヘッダを有する、図３Ａおよび図３Ｂのシールド部材の概略正面図である。
【図４Ａ】ネットワークコネクタアセンブリの概略切断図である。
【図４Ｂ】ネットワークコネクタアセンブリの概略切断図である。
【図５】ネットワークコネクタシステムの概略切断図である。
【図６Ａ】相手方コネクタアセンブリの概略正面図である。
【図６Ｂ】相手方シールド部材の概略正面図である。
【図７Ａ】ネットワークコネクタシステムの概略切断図である。
【図７Ｂ】ヘッダが図示されない、ネットワークコネクタシステムの概略図である。
【発明を実施するための形態】
【００３５】
特に、図１Ａおよび図１Ｂは、従来技術によるネットワークコネクタアセンブリを示し、図１Ａのネットワークコネクタアセンブリ１００Ａは、１００Ｍｂｉｔ／ｓのデータレートでデータを送信するように適合され、図１Ｂのネットワークコネクタアセンブリ１００Ｂは、１Ｇｂｉｔ／ｓのデータレートでデータを送信するように適合される。ネットワークコネクタアセンブリは、ＰＣＢ１５０Ａ、１５０Ｂ上に取り付けられ、ヘッダシュラウド１１０Ａ、１１０Ｂを備え、その中に複数のピン対１３０Ａ、１３０Ｂが、配置される。図１Ａおよび図１Ｂの比較から分かるように、ネットワークコネクタアセンブリ１００Ａ、１００Ｂの２つの隣接行間の距離は、異なる。ネットワークコネクタアセンブリ１００Ａの２つの隣接行間の距離ｈＡは、ネットワークコネクタアセンブリ１００Ｂの距離ｈＢよりも小さい。同様に、ネットワークコネクタアセンブリ１００Ａの２つの隣接列間の距離ｘＡは、ネットワークコネクタアセンブリ１００Ｂの２つの隣接列間の距離ｘＢよりも小さい。ネットワークコネクタアセンブリ１００Ｂでのより大きい距離ｈＢおよびｘＢは、より高いデータレートが使用されるとき、クロストークを避けるために必要である。その結果、２つの異なるネットワークコネクタアセンブリが、異なるデータレートを使用するネットワークのために提供されなければならない。
【００３６】
図２Ａは、真っすぐなピン２３２を有するネットワークコネクタアセンブリを示す。２つのピン２３２は、ピン対２３０を形成する。図示される実施形態では、６つのピン対２３０が設けられる。ピン対２３０のピン２３２は、ヘッダ２４０内に埋め込まれ、ヘッダ２４０は、ピン２３２の周りに成形される。さらに、ピン２３２は、嵌合部分およびＰＣＢ２５０にはんだ付けされてもよい接触部分２３４を有する。ヘッダには、シールド部材２２０がさらに設けられ、シールド部材２２０は、１つのピン対２３０が２つの第１のシールド板２２２間に設けられるように、６つの第１のシールド板２２２を有する。さらに、ピン対２３０の２つの行間に配置される第２のシールド板２２４が、設けられる。シールド部材２２０は、嵌合方向２３６に対して実質的に垂直に向けられる前面２２６を有する。ヘッダ２４０は、ヘッダシュラウド２１０を用いて保護されてもよく、ヘッダシュラウド２１０には、ピン対２３０をそれぞれ受け入れるように適合された開口２１２が設けられる。
【００３７】
図２Ｂでは、角度のついたネットワークコネクタアセンブリ３００が示される。角度のついたネットワークコネクタアセンブリは、約９０°の角度をつけられる、角度のついたピン３３２を有する。それ故に、嵌合方向３３６およびピン３３２の接触部分３３４は、約９０°の角度を囲む。図２Ｂのネットワークコネクタアセンブリは、２つのピン３３２でそれぞれ形成される６つのピン対を備える。ピン対３３０は、シールド部材３２０によって３つの側においてシールドされる。シールド部材３２０は、図３Ａ〜図３Ｃに関してより詳細に論じられることになり、嵌合方向３３６に対して実質的に垂直である前面３２６が設けられる。ヘッダ３４０は、ヘッダシュラウド３１０によって覆われてもよく、ヘッダシュラウド３１０は、ピン対３３０を受け入れるための開口３１２を備える。
【００３８】
図３Ａは、ネットワークコネクタアセンブリ３００のピン対およびシールド部材３２０を示す。図から分かるように、ピン対３３０のピン３３２は、それらの接触部分３３４を用いてＰＣＢ３５０と導電的に接続される。シールド部材３２０は、６つの第１のシールド板３２２を備え、ピン対３３０は、２つの隣接シールド板３２２間に配置される。さらに、第２のシールド板３２４が、ピン対３３０によって形成される行間に、好ましくは中心に設けられる。第２のシールド板３２４は、ピン３３２の進路をたどるように角度をつけられる。図３Ａで分かるように、シールド部材３２０は、６つの第１のシールド板３２２および１つの第２のシールド板３２４からアセンブルされる。あるいは、一体的に形成されたシールド部材が、可能である。図３Ｂに示されるように、第１のシールド板３２２は、第２のシールド板３２４を越えて嵌合方向３３６と反対の方向に延在する。さらに、シールド部材３２０は、ヘッダ３４０が、十分な機械的安定性を提供するためにシールド部材３２０の周りに成形されまたは形成されてもよいように、ＰＣＢ３５０に接触しない。
【００３９】
図３Ｃは、６つのピン対３３０およびシールド部材３２０が設けられるヘッダ３４０を正面図から示す。シールド部材３２０は、垂直に向けられる６つの第１のシールド板３２２を備える。さらに、水平に向けられた第２のシールド板３２４が、ピン対３３０の行間の中心に設けられる。それ故に、各ピン対３３０は、シールド部材３２０によって３つの側においてシールドされる。ピン対３３０の２つの隣接ピン３３２間の距離ｘｐは、好ましくは１．４ｍｍから２．１ｍｍの範囲内である。行内の異なるピン対３３０の２つの隣接ピン３３２間の距離ｘｃは、５．０ｍｍから６．５ｍｍの範囲内である。列内の異なるピン対３３０の２つの隣接ピン３３２間の距離ｈＲは、３．３ｍｍから５ｍｍの範囲内である。さらに、第１のシールド板３２２は、等距離ｘｓだけピン対の対応するピンから間隔を空けられ、距離ｘｓは、好ましくは最大で３．５ｍｍ、より好ましくは最大で３ｍｍ、最も好ましくは最大で２．５ｍｍである。それ故に、各ピンは、同様のシールド特性を有する。
【００４０】
図４Ａは、ネットワークコネクタアセンブリ３００の概略切断図を示し、ピン３３２は、ヘッダ３４０内に配置される。シールド部材３２０は、切断図で示され、第２のシールド板３２４は、水平に配置される。好ましくは、ヘッダ３４０は、シールド部材３２０の周りに成形される。ヘッダシュラウド３１０は、シールド３２０およびピン３３２を保護するためにヘッダ３４０上に設けられる。ヘッダシュラウド３１０には、シールド部材３２０を受け入れるように適合されたシールド空洞３１４が設けられる。シールド部材３２０の前面３２６は、ヘッダシュラウド３１０によって、特にリブ３１６によって覆われる。さらに、開口３１２は、ピン３３２を受け入れるために設けられる。
【００４１】
図４Ｂは、ネットワークコネクタアセンブリ３００の水平切断図を示す。図から分かるように、ヘッダ３４０は、ピン３３２およびシールド部材３２０の周りに成形される。特に、第１のシールド板３２２は、機械的安定性の向上が、達成されるように、後部においてヘッダ３４０によって完全に取り囲まれる。さらに、第１のシールド板３２２は、ピン３３２を越えて嵌合方向３３６に延在する。
【００４２】
図５は、ネットワークコネクタアセンブリ３００および相手方コネクタアセンブリ４００を備えるネットワークコネクタシステム５００を示す。ネットワークコネクタアセンブリ３００は、ＰＣＢ３５０、ヘッダ３４０、ヘッダシュラウド３１０を備え、シールド部材３２０は、ヘッダシュラウド３１０のシールド空洞３１４内に受け入れられる。相手方コネクタアセンブリ４００は、複数の相手方コネクタ４３０を受け入れるコレクタ筐体４１０を備える。相手方コネクタ４３０には、相手方コネクタシュラウド４４０が設けられ、電線４５０に結合される。コレクタ筐体４１０は、ネットワークコネクタアセンブリ３００が、相手方コネクタアセンブリ４００と嵌合させられるとき、シールド部材３２０と相手方シールド部材４２０との間のギャップ４４６が、形成されるように、コレクタ筐体４１０内に配置される相手方シールド部材４２０を備える。これは、シールド部材３２０および相手方シールド部材４２０が、重なり合わないことを意味する。
【００４３】
図６Ａは、相手方コネクタアセンブリ４００の正面図を示し、相手方コネクタアセンブリ４００は、６つの相手方コネクタ４３０を受け入れるコレクタ筐体４１０を備える。相手方コネクタ４３０には、一対の端子４３２が設けられる。コレクタ筐体４１０内に相手方シールド部材４２０が設けられ、相手方シールド部材４２０は、図６Ｂにより詳細に示される。相手方シールド部材４２０は、好ましい実施形態では３つのシールド要素４２６を備え、シールド要素４２６は、２つの相手方コネクタ４３０を受け入れることができる。各シールド要素４２６は、２つの第１のシールド板４２２を備え、第１のシールド板４２２は、垂直配向に示される。さらに、水平配向に示される第２のシールド板４２４が、設けられる。第１および第２のシールド板４２２、４２４は、相手方コネクタ４３０を少なくとも３つの側においてシールドする。
【００４４】
図７Ａでは、ネットワークコネクタアセンブリ３００および相手方コネクタアセンブリ４００を備える、ネットワークコネクタシステム５００が、切断図で示される。ネットワークコネクタアセンブリ３００のシールド要素３２０は、ヘッダシュラウド３１０のシールド空洞３１４内に受け入れられる。シールド部材３２０の前面３２６は、ヘッダシュラウド３１０のリブ３１６によって覆われる。さらに、貫通孔３１８は、相手方シールド部材４２０をシールド部材３２０と電気的に接触させることを可能にするためにシールド空洞３１４内に設けられる。それ故に、シールド部材３２０から相手方シールド部材４２０を越えて電線４５０のシールドまでの連続的シールドが、クロストークを大幅に低減するために設けられてもよい。
【００４５】
図７Ｂは、ネットワークコネクタシステム５００を示し、ネットワークコネクタシステム５００は、相手方コネクタアセンブリ４００およびネットワークコネクタアセンブリ３００を備え、ヘッダ３４０は、図示されない。シールド部材３２０には、接触部材３２８が設けられ、印刷回路基板と導電的に接触する。それ故に、ネットワークコネクタシステム５００のＥＭＣ特性は、改善することができる。
【符号の説明】
【００４６】
１００ａ  １００Ｍｂｉｔ／ｓのためのネットワークコネクタアセンブリ
１００ｂ  １Ｇｂｉｔ／ｓのためのネットワークコネクタアセンブリ
１３０ａ／１３０ｂ  ピン対
１１０ａ／１１０ｂ  ヘッダシュラウド
１５０ａ／１５０ｂ  ＰＣＢ
ｈＡ／ｈＢ  行間の距離
ｘＡ／ｘＢ  列間の距離
２００  ネットワークコネクタアセンブリ
２１０  ヘッダシュラウド
２１２  開口
２２０  シールド部材
２２２  第１のシールド板
２２４  第２のシールド板
２２６  前面
２３０  ピン対
２３２  ピン
２３４  接触部分
２３６  嵌合方向
２４０  ヘッダ
２５０  ＰＣＢ
３００  ネットワークコネクタアセンブリ
３１０  ヘッダシュラウド
３１２  開口
３１４  シールド空洞
３１６  リブ
３１８  貫通孔
３２０  シールド部材
３２２  第１のシールド板
３２４  第２のシールド板
３２６  前面
３３０  ピン対
３３２  ピン
３３４  接触部分
３４０  ヘッダ
３５０  ＰＣＢ
４００  相手方コネクタアセンブリ
４１０  コレクタ筐体
４２０  相手方シールド部材
４２２  第１の相手方シールド板
４２４  第２の相手方シールド板
４３０  相手方コネクタ
４３２  端子
４４０  相手方シュラウド
４５０  電線
５００  ネットワークコネクタシステム
ｘｐ  ピン間の距離
ｘＣ  行内でのピン間の距離
ｈｒ  列内でのピン間の距離
ｘｓ  第１のシールド板とピンとの間の距離
【図１Ａ】
2017084785.tif 000003
【図１Ｂ】
2017084785.tif 000004
【図２Ａ】
2017084785.tif 000005
【図２Ｂ】
2017084785.tif 000006
【図３Ａ】
2017084785.tif 000007
【図３Ｂ】
2017084785.tif 000008
【図３Ｃ】
2017084785.tif 000009
【図４Ａ】
2017084785.tif 000010
【図４Ｂ】
2017084785.tif 000011
【図５】
2017084785.tif 000012
【図６Ａ】
2017084785.tif 000013
【図６Ｂ】
2017084785.tif 000014
【図７Ａ】
2017084785.tif 000015
【図７Ｂ】
2017084785.tif 000016
【外国語明細書】
2017084785000001.pdf